【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
第１のスクリーンに表示されるコンテンツに関連するソーシャルメッセージに基づき前記第１のスクリーンにおけるコンテンツと同期化される第２のスクリーンにおける宣伝を提供する方法であって、
前記第１のスクリーンに表示されるコンテンツに関連する１以上のソーシャルメッセージのためのソーシャルメディアをモニタするステップと、
前記第１のスクリーンにおける一次コンテンツの表示と関連して同期化メカニズムを提供するステップと、
宣伝のためのキーワードを決定するよう前記１以上のソーシャルメッセージを処理するステップと、
前記同期化メカニズムから同期化信号を前記第２のスクリーンで検出する場合に、前記第２のスクリーンでの表示のために前記キーワードに基づき宣伝を提供するステップと
を有する方法。
【請求項２】
モニタされる前記ソーシャルメディアは、Ｔｗｉｔｔｅｒ（登録商標）である、
請求項１に記載の方法。
【請求項３】
前記提供される宣伝は、前記第１のスクリーンに表示されるコンテンツに基づく、
請求項１に記載の方法。
【請求項４】
モニタされる前記ソーシャルメディアは、Ｆａｃｅｂｏｏｋ（登録商標）である、
請求項１に記載の方法。
【請求項５】
前記提供される宣伝は、前記第１のスクリーンにおけるコンテンツの表示における時間期間に基づく、
請求項４に記載の方法。
【請求項６】
前記提供される宣伝は、後援を受けている宣伝である、
請求項１に記載の方法。
【請求項７】
前記提供するステップは、前記第１のスクリーンに表示されるコンテンツと同期化されたイベントのタイムラインにおけるイベントとして前記宣伝を提供することを含む、
請求項１に記載の方法。
【請求項８】
前記モニタするステップは、遠隔で実行される、
請求項１に記載の方法。
【請求項９】
前記提供される宣伝は、前記第２のスクリーンの位置に基づく、
請求項１に記載の方法。
【請求項１０】
コンテンツを表示するよう構成されるスクリーンと、
データを記憶するストレージと、
第１のスクリーンに表示されるコンテンツに関連する１以上のソーシャルメッセージのためのソーシャルメディアをモニタし、前記第１のスクリーンにおける一次コンテンツの表示と関連して同期化メカニズムを提供し、宣伝のためのキーワードを決定ように前記１以上のソーシャルメッセージを処理し、前記同期化メカニズムから同期化信号を第２スクリーン装置で検出する場合に、前記第２スクリーン装置での表示のために前記キーワードに基づき宣伝を提供するよう構成されるプロセッサと
を有する第２スクリーン装置。
【請求項１１】
無線通信のための無線ネットワークインターフェース
を更に有する請求項１０に記載の第２スクリーン装置。
【請求項１２】
前記プロセッサは更に、ソーシャルメディアへのアクセスを提供するよう構成される、
請求項１０に記載の第２スクリーン装置。
【請求項１３】
タッチスクリーン装置である請求項１０に記載の第２スクリーン装置。
【請求項１４】
プロセッサによって実行される場合に、該プロセッサに、
第１のスクリーンに表示されるコンテンツに関連する１以上のソーシャルメッセージのためのソーシャルメディアをモニタするステップと、
前記第１のスクリーンにおける一次コンテンツの表示と関連して同期化メカニズムを提供するステップと、
宣伝のためのキーワードを決定するよう前記１以上のソーシャルメッセージを処理するステップと、
前記同期化メカニズムから同期化信号を第２のスクリーンで検出する場合に、前記第２のスクリーンでの表示のために前記キーワードに基づき宣伝を提供するステップと
を実行させるコンピュータプログラム。
【手続補正２】
【補正対象書類名】明細書
【補正対象項目名】００１９
【補正方法】変更
【補正の内容】
【００１９】
そもそも入力部から又は記憶装置２１２から発せられた、ビデオ処理部２１０からの被変換ビデオ信号は、ディスプレイインターフェース２１８へ供給される。ディスプレイインターフェース２１８は更に、上記のタイプのディスプレイ装置へディスプレイ信号を供給する。ディスプレイインターフェース２１８は、赤−緑−青（ＲＧＢ）のようなアナログ信号インターフェースであってよく、あるいは、ＨＤＭＩのようなデジタルインターフェースであってよい。当然ながら、ディスプレイインターフェース２１８は、以下でより詳細に記載されるように、３次元グリッドにおいて検索結果を提示する様々なスクリーンを生成する。
【手続補正３】
【補正対象書類名】明細書
【補正対象項目名】０１２４
【補正方法】変更
【補正の内容】
【０１２４】
加えて、上記の記載は、単なる一例として意図され、特許請求の範囲での記述を除いて、決して本発明を制限するよう意図されない。  
上記の実施形態に加えて、以下の付記を開示する。
（付記１）
第１のスクリーンに表示されるコンテンツに関連するソーシャルメッセージに基づき前記第１のスクリーンにおけるコンテンツと同期化される第２のスクリーンにおける宣伝を提供する方法であって、
前記第１のスクリーンに表示されるコンテンツに関連する１以上のソーシャルメッセージのためのソーシャルメディアをモニタするステップと、
宣伝のためのキーワードを決定するよう前記１以上のソーシャルメッセージを処理するステップと、
前記第２のスクリーンでの表示のために前記キーワードに基づき宣伝を提供するステップと
を有する方法。
（付記２）
モニタされる前記ソーシャルメディアは、Ｔｗｉｔｔｅｒ（登録商標）である、
付記１に記載の方法。
（付記３）
前記提供される宣伝は、前記第１のスクリーンに表示されるコンテンツに基づく、
付記１に記載の方法。
（付記４）
モニタされる前記ソーシャルメディアは、Ｆａｃｅｂｏｏｋ（登録商標）である、
付記１に記載の方法。
（付記５）
前記提供される宣伝は、前記第１のスクリーンにおけるコンテンツの表示における時間期間に基づく、
付記４に記載の方法。
（付記６）
前記提供される宣伝は、後援を受けている宣伝である、
付記１に記載の方法。
（付記７）
前記提供するステップは、前記第１のスクリーンに表示されるコンテンツと同期化されたイベントのタイムラインにおけるイベントとして前記宣伝を提供することを含む、
付記１に記載の方法。
（付記８）
前記モニタするステップは、遠隔で実行される、
付記１に記載の方法。
（付記９）
前記提供される宣伝は、前記第２のスクリーンの位置に基づく、
付記１に記載の方法。
（付記１０）
コンテンツを表示するよう構成されるスクリーンと、
データを記憶するストレージと、
第１のスクリーンに表示されるコンテンツに関連する１以上のソーシャルメッセージのためのソーシャルメディアをモニタし、宣伝のためのキーワードを決定ように前記１以上のソーシャルメッセージを処理し、第２スクリーン装置での表示のために前記キーワードに基づき宣伝を提供するよう構成されるプロセッサと
を有する第２スクリーン装置。
（付記１１）
無線通信のための無線ネットワークインターフェース
を更に有する付記１０に記載の第２スクリーン装置。
（付記１２）
前記プロセッサは更に、ソーシャルメディアへのアクセスを提供するよう構成される、
付記１０に記載の第２スクリーン装置。
（付記１３）
タッチスクリーン装置である付記１０に記載の第２スクリーン装置。
（付記１４）
実行される場合に、
第１のスクリーンに表示されるコンテンツに関連する１以上のソーシャルメッセージのためのソーシャルメディアをモニタするステップと、
宣伝のためのキーワードを決定するよう前記１以上のソーシャルメッセージを処理するステップと、
第２のスクリーンでの表示のために前記キーワードに基づき宣伝を提供するステップと
を実行する命令を有する機械可読媒体。